(57)【要約】      （修正有）【課題】外力が作用しても容器が倒れることがなく、又分解が困難で半永久的に容器を自立させる容器の後傾自立構造を提供する。【解決手段】容器の後傾自立構造は、容器１の底板２の裏面部３に折線で形成された後傾保持板折り目部６と、後傾保持板折り目部の上部に多角形状に切り目で形成された第一切れ目部４と、第一切れ目部と後傾保持板折り目部で囲繞された後傾保持板５と、後傾保持板の内部に折線で形成された後傾底板部折り目部９と、後傾底板折り目部の上部に多角形状に切り目で形成された第二切れ目部と、第二切れ目部と後傾底板折り目部で囲繞された後傾底板部８と、後傾底板部の折線で形成されたストッパー片折り目部１５と、ストッパー片折り目部下部に下に凸状に形成された第三切れ目部１３と、ストッパー片折り目部と第三切れ目部で囲繞されたストッパー片１４と、後傾保持板に形成されたストッパー片挿入部１２とを備えた。【選択図】図１
0003216850.tif 000002
【実用新案登録請求の範囲】
【請求項１】
容器の底板の裏面部の両側部や中央部に、底辺を除き多角形状に切れ目で形成された後傾保持板と、前記後傾保持板の前記底辺に形成された後傾保持板折り目部と、前記後傾保持板の内側若しくはその下部で前記裏面部の下部近辺まで底辺を除く多角形状に切り目で形成された後傾底板部と、前記後傾底板部の前記底辺に形成された後傾底板部折り目部と、前記後傾保持板の上辺と前記後傾底板部の上辺の間に後傾底板部の上辺の幅よりも少し長く形成された切れ目からなるストッパー片挿入部と、前記後傾底板部の中央よりも上側で下向きに上辺を除き多角形状に切れ目で形成されたストッパー片と、前記ストッパー片の上辺に形成されたストッパー片折り目部と、を備えていることを特徴とする容器の後傾自立構造
【請求項２】
前記容器を後傾させたとき、前記裏面部の表面と前記後傾保持板のなす後傾角度が５度〜９０度未満に保持されることを特徴とする請求項１に記載の容器の後傾自立構造
【請求項３】
前記後傾保持板の内側に、前記後傾底板部と、を備えたことを特徴とする請求項１又は２に記載の容器の後傾自立構造
【請求項４】
請求項４に記載の容器の後傾自立構造は、請求項１乃至３のいずれか１に記載の考案において、前記後傾底板部の上辺部が前記後傾底板部の底辺の長さよりも短いことを特徴とする請求項１乃至３のうちいずれか１に記載の容器の後傾自立構造
【請求項５】
前記ストッパー挿入部が細隙状に形成されたことを特徴とする請求項１乃至４のうちいずれか１に記載の容器の後傾自立構造
【考案の詳細な説明】
【技術分野】
【０００１】
本考案は、容器の後傾自立構造に関し、更に詳しくは、紙製や半合成紙製、合成樹脂製のシートで作成された、一端に蓋を備えた筒状の容器や、上面開放で有底の内箱と内箱を摺動自在や開閉自在に収容する外箱で構成されるチョコレートやクレヨン等の菓子箱類や文房具類の箱容器、覆い蓋が有底の下箱に開閉自在の容器、２枚の表示パネルを組み合わせ正面側や背面側にカレンダーシートや写真等を入れる表示ケース等の容器の後傾自立構造であって、いったん自立構造を組み立てると外力が作用しても容易に構造が解けることなく後傾自立状態を維持できる容器の後傾自立構造に関するものである。
【背景技術】
【０００２】
従来、商品の販売において包装容器が多く用いられている。包装容器はお客の注意を引き付けるため装飾や飾り付けその他種々の容器の工夫がなされている。例えば、前述の容器の場合、容器を縦に立てたり、後ろ側に傾斜させたりして、顧客の目に留まり易いように容器の形状や構造に工夫がなされ、例えば、以下のような公報が開示されている。    
・特許文献１には、パンフレット等を収容することができる収納部を有し、背面側の下部の両側部には容器背面と同一面になる様にヒンジを介して折り畳まれた脚を備えた、テーブル面に起立して載置できる展示用容器が開示されている。
・特許文献２には、正面側と背面側の各パネルは上端に設けた継ぎ手部を介して連結し、互いに重なり合って閉じるとともに脚立のように逆V字型に開いて起立し、該各パネルは写真等を開口から収容する収容区間を形成した表示ケースが開示されている。
・特許文献３には、写真パネル等を収容する収容部を有する正面板と、正面板の上端部に連接された裏面支持板と、裏面支持板に形設された切れ目からなる舌片挿入部と、正面板の下端部に連接された後傾保持板と、後傾保持板の中央に延設され裏面支持板の舌片挿入部に挿入される舌片を備えた表示ケースが開示されている。
・特許文献４には、二枚のシートを重ねて周囲を接着するか、又は、一枚のシートを折曲げて重ね周囲を接着してなる二重のシートの、一方のシートは、表面を揮毫面となし、かつ、写真用窓を設け、他方のシートに写真用窓に対応する位置に、写真用窓よりも大きい、折り曲げ線と切り線で囲む回動可能な写真押え板を形成した写真スタンドが開示され、写真押え板を立てることにより、写真スタンドを後傾支持できる写真スタンドが開示されている。
【先行技術文献】
【特許文献】
【０００３】
【特許文献１】特開２０１５−２７８６号公報
【特許文献２】特開２００８−２５９６１８号公報
【特許文献３】特開２００６−２０８９２６号公報
【特許文献４】特開平８−２７５８５１号公報
【考案の概要】
【考案が解決しようとする課題】
【０００４】
しかしながら、上記従来の技術においては以下の課題を有していた。
（１）特許文献１の技術は、各脚がヒンジを介して各々外側に開くことにより、展示用
ケースを後傾支持するものであるが、各ヒンジの開きを合わせないと後傾支持できず、立てることが不可能であり組み立てが容易でなく、又、脚の接地面が線状なので後傾支持が不安定で使用しづらいという課題を有していた。
（２）特許文献２の技術は、逆Ｖ字状に開いたケースの下部に物が当たると、すぐに開
いた部分が閉じてしまい、倒れやすいという課題を有していた。また、正面側と背面側の上端の両側部の一方に軸ピンを形成し、他方に軸ピンを挿入する軸孔を形成しているが、表示容器の組み立て時に軸ピンが挿入しづらくまた軸ピンが折れやすいので生産性に欠けるという課題を有していた。
（３）特許文献３の技術は、商品容器の裏面支持板に風や物、もしくは人の指が当たった際に、後傾保持板の舌片が、舌片挿入部から抜けやすく、倒れやすいという課題を有していた。また、倒れるたびに舌片を立て直す必要があり、作業が煩雑という課題があった。
（４）特許文献４の技術は、構造が複雑で多くの生産工数を要し、生産性に欠けるとと
もに、写真抑え板が倒れやすいという課題を有していた。
【０００５】
本考案は上記課題を解決するもので、簡単な構造で、容易に後傾自立構造に組み立てることができ、又一旦組み立てると、外力が作用しても、容器が倒れることがなく、又分解が困難で半永久的に容器を自立させることが出きるとともに、商品の広告効果も高めることができる容器の後傾自立構造の提供を目的とする。また、各種容器の底板の裏面に切り込むだけで生産でき生産性に優れる容器の後傾自立構造の提供を目的とする。
【課題を解決するための手段】
【０００６】
上記目的を達成するために本考案の容器の後傾自立構造は、以下の構成を有する。
請求項１に記載の容器の後傾自立構造は、容器の底板の裏面部の両側部や中央部に、底辺を除き多角形状に切れ目で形成された後傾保持板と、前記後傾保持板の前記底辺に形成された後傾保持板折り目部と、前記後傾保持板の内側若しくはその下部で前記裏面部の下部近辺まで底辺を除く多角形状に切り目で形成された後傾底板部と、前記後傾底板部の前記底辺に形成された後傾底板部折り目部と、前記後傾保持板の上辺と前記後傾底板部の上辺の間に後傾底板部の上辺の幅よりも少し長く形成された切れ目からなるストッパー片挿入部と、前記後傾底板部の中央よりも上側で下向きに上辺を除き多角形状に切れ目で形成されたストッパー片と、前記ストッパー片の上辺に形成されたストッパー片折り目部と、を備えた構成を有している。
【０００７】
この構成により、以下の作用を有する。
（１）容器の裏面に切れ目で後傾保持板が形成されているので、後傾保持板を後傾
保持板折り目部で外側に折り曲げながら、後傾底板部をストッパー片挿入部に挿入しながら折り曲げ、次いで、ストッパー片を後傾底板部の下方に折り曲げ、ストッパー片の先端部を後傾保持板の裏面側に当てて衝止することにより、ストッパー片をあたかもつっかい棒として作用させることができ、これにより、容器に風や物、人の指等の外力が作用してもストッパー片がストッパー片挿入部から抜けることがなく、容器を半永久に後ろ向きに傾斜させて保持できる。
（２）ストッパー片を後傾底板部の上方に折り曲げ、ストッパー片の底辺をストッ
パー片挿入部の端辺に掛止することにより、ストッパー片の表面と後傾底板部の裏面でストッパー片挿入部を係止材として作用させることができ、これにより、容器に風や物、人の指等の外力が作用しても後傾底板部ストッパー片挿入部がストッパー片折り目部側に押し込まれる作用を受けるので、ストッパー片がストッパー片挿入部から抜けることがなく、容器を半永久に後ろ向きに傾斜させて保持できる。
（３）後傾底板部を後傾保持板の内部や後傾保持板の下部に形成した容器の後傾自立構造とすることにより、縦長や横長の容器を後傾自立させることができる
【０００８】
ここで、容器の材料としては、紙製や、半合成紙製、合成樹脂製等のシート類があげられる。
容器の種類としては、一端に蓋を備えた筒状の容器や、上面開放で有底の内箱と内箱を摺動自在や開閉自在に収容する外箱で構成されるチョコレート等の菓子箱やクレヨン等の文房具の容器や、覆い蓋が有底の下箱に開閉自在の容器、１枚の表示パネルや２枚の表示パネルを組み合わせ正面側や背面側にカレンダーシートや写真等を入れる表示容器等があげられる。
容器の形態としては、立方体型容器や縦長や横長の直方体型容器、星型や多角形状の容器、楕円形容器等があげられる。
容器の接地面は、稜線や円弧面、点（星型容器等）接触であってもよい。
折り目部は、刃物等で薄く入れられた切れ線や、折線、ミシン目等で形成される。
後傾保持板や後傾底板部、ストッパー片の形状は、三角形や四角形、五角形、六角形、台形等の多角形等に形成される。
【０００９】
請求項２に記載の容器の後傾自立構造は、請求項１に記載の考案において、前記容器を後傾させたとき、前記裏面部の表面と前記後傾保持板で形成される後傾角度が５度〜９０度未満好ましくは１５度〜７５度、さらに好ましくは２０度〜６０度に保持される構成を有している。
この構成により、請求項１で得られる作用に加え、以下の作用が得られる。
（１）商品を内蔵した容器を商品陳列台に並べたときに商品が顧客の目線と直角に近い角度で並べることができ、アイキャッチャーの効果を高めることができる。
ここで、裏面部の表面と前記後傾保持板の角度が２０度よりも小さくなるにつれ容器の縦長や横長の形態にもよるが重心が上にずれていき風や人の指が触ったり等の少しの外力等で前に向けて倒れやすくなる傾向があり、又６０度よりも大きくなるにつれ容器の形態により後ろ向きに倒れやすくなる傾向が認められるのでいずれも好ましくない。１５度よりも小さくなるか７５度よりも大きくなるにつれこれらの傾向が強くなるので好ましくない。
更に、裏面部の表面と前記後傾保持板の角度が１５度〜７５度、好ましくは２０度〜６０度に保持されることにより、店先で商品の入った容器を陳列した際、容器が後傾しているので、立体的になり、顧客の目線に触れやすくすることができ、広告効果を高めることができる。
【００１０】
請求項３に記載の容器の後傾自立構造は、請求項１又は２に記載の考案において、前記後傾保持板の内側に、前記後傾底板部を備えた構成を有している。
この構成により、請求項１又は２で得られる作用に加え、以下の作用が得られる。
チョコレートやクッキー等の菓子容器や、絵葉書やカレンダーシートの入ったケース等の横長で薄型筒状の容器の商品を後傾して保持できるので、商品陳列台に陳列した際に広告効果を発揮できる。
（１）ストッパー片が抜けず重心が低く後傾状態が安定しているので、子供等が触っても倒れることがない。
【００１１】
請求項４に記載の容器の後傾自立構造は、請求項１乃至３のいずれか１に記載の考案において、後傾底板部の上辺部が後傾底板部の底辺の長さよりも短い構成を有している。
この構成により、請求項1乃至３のうちいずれか１において得られる作用に加え、以下の作用が得られる。
（１）後傾底板部の上辺部が後傾底板部の底辺の長さよりも短いので、後傾底板部の形状が制限を受けることがない。
（２）後傾保持板の上辺と後傾底板部の上辺の横幅を同じにすることにより、切れ目作業の工程を一工程減らすことができ生産性を高めることができる。
（３）後傾底板部の上辺部と後傾底板部の底辺の各端部を結ぶ角度を調整するだけで、容器の後傾角度を調整できる。尚、後傾底板部の上辺部のみ該底辺の長さよりも短くすることにより、後傾自立構造を組み立てるだけで一群の商品等の後傾角度を統一でき、商品等を店頭に並べた際に見栄えをよくすることができる。
【００１２】
請求項５に記載の容器の後傾自立構造は、請求項１乃至４のうちいずれか１に記載の考案において、前記ストッパー挿入部が細隙状に形成された構成を有している。
この構成により、請求項１乃至４のうちいずれか１において得られる作用に加え、以下の作用が得られる。
（１）ストッパー挿入部が細隙状に形成されているので、後傾底板部の上辺部を容易に
挿入することができる。
ここで、細隙の幅としてはストッパー片が抜けやすくなるのを防ぐため、１乃至２ｍｍの幅が好適に用いられる。
【考案の効果】
【００１３】
本考案の容器の後傾自立構造によれば、以下の効果を実現できる。
（１）請求項１に記載の考案によれば、容器の裏面部に後傾保持板が形成されているので、後傾保持板を後傾保持板折り目部で外側に折り曲げつつ、後傾底板部をストッパー片挿入部に挿入しながら折り曲げ、次いで、ストッパー片を上側や下側に折り曲げ、ストッパー片をストッパー片底辺の折り曲げ部で係止したり、ストッパー片の先端部を後傾保持板の表面に当てて衝止し、ストッパー片をつっかい棒として利用することにより、容器に風や物、人の指等が当たってもストッパー片がストッパー片挿入部に掛止されるので、ストッパー片がストッパー片挿入部から抜けることがなく、容器を半永久的に後ろ向きに傾斜して保持できる容器の後傾自立構造を提供できる。
（２）請求項２に記載の考案によれば、請求項1で得られる効果に加え、容器を商品陳列台に並べたときに、容器を顧客の目線にあった角度で並べることができる容器の後傾自立構造を提供できる。
（３）請求項３に記載の考案によれば、請求項1又は２で得られる効果に加え、ストッパー片がストッパー片挿入部から抜けることがなく、かつ容器の重心が低くなるので、容器が後傾状態で安定し、チョコレートやクッキー等の菓子容器や、絵葉書やカレンダーシートの入ったケース等の厚みの薄い直方体の包装容器を子供等が触っても倒れることのない容器の後傾自立構造を提供できる。
（４）請求項４に記載の考案によれば、請求項１乃至３のうちいずれか１で得られる効果に加え、後傾底板部の上辺部が後傾底板部の底辺の長さよりも短いので、後傾底板部の横幅の幅が制限を受けることがなく、後傾保持板と後傾底板部の横幅を同じにすることにより、生産作業の工数を減らし生産性を高めることができる。また、後傾底板部の上辺部と後傾底板部の底辺の各端部を結ぶ角度を調整するだけで、容器の後傾角度を調整できる容器の後傾自立構造を提供できる。
（５）請求項５に記載の考案によれば、請求項１乃至４のうちいずれか１で得られる効果に加え、ストッパー片挿入部が細隙状に形成されているので、後傾底板部の上辺部を容易に挿入することができ、組み立て時の作業性に優れた容器の後傾自立構造を提供できる。
【図面の簡単な説明】
【００１４】
【図１】実施の形態１の容器の後傾自立構造を示す容器の背面側斜視図
【図２】実施の形態１の容器の裏面側正面図
【図３】実施の形態２の容器の後傾自立構造を示す容器の背面側斜視図
【図４】実施の形態２の容器の裏面側正面図
【考案を実施するための形態】
【００１５】
（実施の形態1）
図１は、実施の形態１の容器の後傾自立構造を示す容器の背面側斜視図であり、図２は実施の形態１の容器の裏面側正面図である。
図１において、１は紙製のシートで作成された、上面開放で有底の内箱と内箱を摺動自在に収容する外箱とからなるチョコレート等の菓子箱類の容器、２は容器１の内箱と外箱からなる容器の外箱や直方体や立方体、星や多角形型、楕円型等の形状をした容器等、カレンダーシートや絵葉書、パンフレット等のシートを収納するケース等の容器の底板、３は底板２の裏面部、４は裏面部３のほぼ中央に上に凸状に切り込まれた第一切れ目部、５は底辺を除く上部や左右の周囲が第一切れ目部４で囲まれて形成された後傾保持板、６は後傾保持板５の底辺に所定長さで且つ所定の幅で折線やミシン目、切れ線で形成された後傾保持板折り目部、７は第一切れ目部４の内側に上に凸状に切り込まれて形成された第二切れ目部、尚、第二切れ目部７は後傾保持板５の下側に形成されてもよい。８は底辺を除く周囲が第二切れ目部７で囲まれて形成された後傾底板部、９は後傾底板部８の底辺に所定長さで且つ所定の幅に形成された折線やミシン目等で形成された後傾底板部折り目部、１０は後傾保持板５の上辺の後傾保持板上辺部、１１は後傾底板部８の上辺の後傾底板部上辺部、１２は後傾保持板上辺部１０と後傾底板部上辺部１１の間の後傾保持板５に後傾底板部上辺部１１の長さよりも長く切り込まれたストッパー片挿入部、１３は後傾底板部８の中央部よりも上部側で下に凸状に形成された第三切れ目部、１４は下部周囲が第三切れ目部１３で囲まれたストッパー片、１５はストッパー片１４の上辺が所定長さにミシン目や折線で形成されたストッパー片折り目部である。
尚、本実施の形態では、横長のチョコレート等に菓子容器を例として説明したが、容器としてはこれに限らず、前述の他の容器類も本考案が適用できることは明らかである。
【００１６】
以上のように構成された実施の形態１の容器の後傾自立構造について、以下その組み立て方法を図２を用いて説明する。尚、図中、図１と同一のものは同一の符号を付して、説明を省略する。
まず、容器１の底板２の裏面部３に切り込まれて形成された第一切れ目部４で囲まれた後傾保持板５を、後傾保持板折り目部６で裏面部３の表面から２０度〜６０度の範囲で任意の角度で折り曲げる。次いで、裏面部３に切り込まれて形成された第二切れ目部７で囲まれた後傾底板部８を、後傾底板部折り目部１３で裏面部３の表面から５０度〜８０度の範囲の任意の角度で折り曲げながら、後傾底板部８をストッパー片挿入部１２の切れ目に挿入する。ストッパー片１４がストッパー片挿入部１２に挿入を終えたところで挿入を止め、ストッパー片折り目部１５でストッパー片１４の先端を下向きに折り曲げ、ストッパー片１４の裏面を後傾保持板５に当接させるか、ストッパー片１４の先端部を後傾保持板５の裏面に衝止し、つっかい棒の役目をさせる。尚、図中、１６は、後傾保持板５を折り曲げてできた後傾保持板後部であり、後傾保持板後部１６の裏面の周囲に広告文や漫画を付けると広告効果を向上させることができる。αは裏面部３と後傾保持板５の交角からなる後傾角度であり、約４５°で子供の目線に合うように形成されている。
【００１７】
この構成により、実施の形態１の容器の後傾自立構造は、以下の作用を有する。
（１）ストッパー片１４の先端を下向きに折り曲げ、後傾保持板５の裏面に当接させたり、裏面に衝止させることにより、ストッパー片１４が掛止板やつっかい棒になり、後傾保持板５がストッパー片挿入部１２から抜けるのを防ぐことができる。
（２）ストッパー片１４の長さが長く、剛性に優れるので、後傾保持板５に相当の外
力が作用しても、ストッパー片１４がストッパー片挿入部１２から抜けるのを防止し、容器１や後傾保持板５等に外力が作用しても容器１が後ろ向きに簡単に倒れるのを防止できる。
（３）後傾保持板５が折れ曲がり屈折しているので、後傾保持板５に相当の外力が作
用しても、外力を分散させるので後傾底板部折り目部１２が後傾保持板５から裂けて破れることがない。
（４）ストッパー片１４が後傾保持板５のつっかい棒になるので、容器１に外力が作
用しても容器１が簡単に後ろ向きに倒れるのを防止できる。
【００１８】
（実施の形態２）
図３は、実施の形態２の容器の後傾自立構造を示す容器の背面側斜視図であり、図４は実施の形態２の容器の裏面側正面図である。
尚、図中、図１と同一のものは同一の符号を付し説明を省略する。又同様の作用を有するものは同一の符号にアルファベットの小文字を付して、説明を簡略する。
図３において、１ａは有底上面開放の内箱に外箱２ｂが開閉自在に覆設された容器、２ａは容器１ａの内箱の底板、３は底板２ａの裏面部、４ａは裏面部３のほぼ中央に逆台形状に切り込まれた第一切れ目部、５ａは逆台形状に形成された後傾保持板、６は後傾保持板折り目部、７ａは逆台形状に形成された第二切れ目部、８は後傾底板部、９は後傾底板部折り目部、１０は後傾保持板上辺部、１１ａは後傾底板部折り目部９よりも短く形成された後傾底板部上辺部、１２ａは底辺のストッパー片挿入部折り目部１２ａ’上に台形上に切り込まれたストッパー片挿入部、１３は後傾底板部８に下に凸の台形状に形成された第三切れ目部、１４ａは逆台形状に形成されたストッパー片、１５はストッパー片折り目部である。
【００１９】
以上のように構成された実施の形態２の容器の後傾自立構造について、以下その組み立て方法を図４を用いて説明する。尚、図中、図３と同一のものは同一の符号を付して、説明を省略する。
組み立て方法が実施の形態１と異なるのは、ストッパー片１４ａが後傾底板部８の裏面の上側に立ち後傾保持板５ａのストッパー片挿入部１２ａを係止している点である。
【００２０】
この構成により、実施の形態２の容器の後傾自立構造は、実施の形態１で得られる作用のほか、以下の作用を有する。
（１）ストッパー片１４ａの先端を上向きに折り曲げ、ストッパー片１４ａの全体でストッパー片挿入部１２ａに当接させることにより、ストッパー片１４ａが掛止板になり、後傾底板部８がストッパー片挿入部１２から抜けるのを防ぎ、後傾構造を保持できる。
（２）容器１ａに外力が作用しても、ストッパー片挿入部１２ａが楔のようにストッパー片折り目部１５側に滑っていくので、ストッパー片１４ａの掛止力をますます強めることができる。
（３）後傾保持板５ａが逆台形状をしているので、容器１ａを後傾自立させた時、接地面が広いので、後傾自立状態を安定して維持できる。
尚、本実施の形態では、横長のクレヨン等の文房具の容器を例として説明したが、容器としてはこれに限らず、前述の他の容器類も本考案が適用できることは明らかである。
【００２１】
他の実施の形態として、
（１）ストッパー片挿入部１２や１２ａの切れ目を、細隙状に少し開口を広げたものがあげられる。細隙の幅としては１〜２ｍｍが好ましい。この幅により、後傾底板部8の挿入作業を容易にすることができ、容器の後傾自立のための作業を軽減することができる。
（２）後傾底板部８を後傾保持板折り目部６よりも低い位置に形成してもよい。
これにより、縦長の容器等からなる容器の後傾自立も容易に行うことができる。
（３）容器が、厚みの薄いカレンダーシートやパンフッレト、絵葉書等に用いられる容器からなるものや、底部が薄く稜線状であっても、実施の形態２の構成とすることより、容器を容易に自立させ、少しの外力が当たってもストッパー片が抜けることがないので、後傾自立構造を維持できる。
【００２２】
尚、実施の形態に開示した容器の後傾自立構造は、本考案の一例示に過ぎず、したがって、本考案は本実施の形態に拘束されるものではないことは明らかである。
【産業上の利用可能性】
【００２３】
本考案の容器の後傾自立構造は、組み立て作業が簡単で、又一旦組み立てると、外力が作用しても、ストッパー片がストッパー片挿入部からぬけることがないので容器が倒れるのを防ぎ、又後傾自立構造が少しの外力で分解する事が困難で半永久的に容器を後傾自立させることが出きるとともに、商品の広告効果も高めることができ、生産作業性にも優れる産業上極めて有用なものである。
【符号の説明】
【００２４】
１、１ａ    容器
２、２ａ    底板
２ｂ        外箱
３、３ａ    裏面部
４、４ａ    第一切れ目部
５、５ａ    後傾保持板
６          後傾保持板折り目部
７、７ａ    第二切れ目部
８          後傾底板部
９          後傾底板部折り目部
１０        後傾保持板上辺
１１、１１ａ後傾底板部上辺
１２、１２ａストッパー片挿入部
１２ａ’    ストッパー片挿入部折り目部
１３        第三切れ目部
１４、１４ａストッパー片
１５        ストッパー片折り目部
１６        後傾保持板後部
α          後傾角度
【図１】
0003216850.tif 000003
【図２】
0003216850.tif 000004
【図３】
0003216850.tif 000005
【図４】
0003216850.tif 000006